(57)【特許請求の範囲】
【請求項１】
円弧状に折曲げ加工した鋼製リング状フレームを上下方向に所要間隔をおいて複数段に配置し且つ上下に隣接する該各鋼製リング状フレーム同士を、柔軟性を有して自在に折りたためるようなロープ、ワイヤーの如き複数本の索状物で複数個所を連結して、仮設梯子より離脱状態にて各鋼製リング状フレームが重なり合うように上下方向に圧縮されて折りたたまれたり、上下方向に展張できるようにしてあるケージ本体を形成し、更に、上記ケージ本体を構成する少なくとも最上段と最下段の鋼製リング状フレームの両端に、仮設梯子に固定された取付部に着脱自在に取り付けるようにする係止部を設けた構成を有することを特徴とする仮設梯子用ケージ。
【請求項２】
円弧状に折曲げ加工した鋼製リング状フレームを上下方向に所要間隔をおいて複数段に配置し且つ上下に隣接する該各鋼製リング状フレーム同士を、中央部を屈伸自在とした複数本のロッドを用いて、該ロッドの上下端部を上下に隣接する鋼製リング状フレームに内外方向へ回動自在に接続するようにして複数個所を連結して、仮設梯子より離脱状態にて各鋼製リング状フレームが重なり合うように上下方向に圧縮されて折りたたまれたり、上下方向に展張できるようにしてあるケージ本体を形成し、更に、上記ケージ本体を構成する少なくとも最上段と最下段の鋼製リング状フレームの両端に、仮設梯子に固定された取付部に着脱自在に取り付けるようにする係止部を設けた構成を有することを特徴とする仮設梯子用ケージ。
【請求項３】
円弧状に折曲げ加工した鋼製リング状フレームを上下方向に所要間隔をおいて複数段に配置し且つ上下に隣接する該各鋼製リング状フレーム同士を、広幅のネットを用いて、上下に隣接する鋼製リング状フレーム間を全域にわたり上記ネットで覆うように連結して、仮設梯子より離脱状態にて各鋼製リング状フレームが重なり合うように上下方向に圧縮されて折りたたまれたり、上下方向に展張できるようにしてあるケージ本体を形成し、更に、上記ケージ本体を構成する少なくとも最上段と最下段の鋼製リング状フレームの両端に、仮設梯子に固定された取付部に着脱自在に取り付けるようにする係止部を設けた構成を有することを特徴とする仮設梯子用ケージ。
【請求項４】
円弧状に折曲げ加工した鋼製リング状フレームを上下方向に所要間隔をおいて複数段に配置し且つ上下に隣接する該各鋼製リング状フレーム同士を、広幅の布を用いて、上下に隣接する鋼製リング状フレーム間を全域にわたり上記布で覆うように連結して、仮設梯子より離脱状態にて各鋼製リング状フレームが重なり合うように上下方向に圧縮されて折りたたまれたり、上下方向に展張できるようにしてあるケージ本体を形成し、更に、上記ケージ本体を構成する少なくとも最上段と最下段の鋼製リング状フレームの両端に、仮設梯子に固定された取付部に着脱自在に取り付けるようにする係止部を設けた構成を有することを特徴とする仮設梯子用ケージ。
【発明の詳細な説明】
【０００１】
【発明の属する技術分野】
本発明は作業現場等で用いる仮設梯子に取り付けて使用される仮設梯子用ケージに関するものである。
【０００２】
【従来の技術】
作業現場等で一時的な高所での作業を行うために使用する仮設梯子については、該仮設梯子の高さ１．５ｍ以上となる部分には、作業者の作業時の背もたれとなるケージを設置することが義務付けられている。
【０００３】
ところで、従来のケージ付仮設梯子は、図５にその一例を示す如く、平行に配した鉛直な２本の金属製支柱２間に所要間隔で桟３を取り付けてなる仮設梯子１の上記各支柱２の上端にフック４を取り付けて、該フック４を高所位置に引掛けて仮設できるようにしてあり、この仮設梯子１の支柱２の一側、すなわち、上記フック４の向きとは反対側となる側に、ケージ５を固定している。
【０００４】
従来の仮設梯子１に固定されているケージ５は、上下多段にわたる水平な円弧状の鋼製リング状フレーム６を上下方向に配置して、該上下に配置した各鋼製リング状フレーム６の間に、所要長さに切断した複数本の鋼材７を立てて介在させて、各鋼材７の上下両端を上下の鋼製リング状フレーム６に溶接等で接合して固定し、上下複数段の鋼製リング状フレーム６とこれらをつなぐ鋼材７とで籠状の剛構造とした構成としてあり、仮設梯子１の桟３に載った作業者が作業時の背もたれとしてケージ５を使用することができるようにし、又、該ケージ５内で作業者が落下しそうになった時に鋼製リング状フレーム６につかまることができるようにしてある。
【０００５】
【発明が解決しようとする課題】
ところが、上述した如く、ケージ５は、鋼製リング状フレーム６を鋼材７で連結したものであり、しかも仮設梯子１に固定されているため、仮設梯子１の作業現場への輸送や現場での取り扱いにおいて大重量であったり、該ケージ５自体の剛性が高く嵩張ることから、上記輸送や取り扱いが不便となる問題があり、又、仮設梯子１の長さが長くなると、高所位置となる仮設梯子１の上方には、上記ケージ５を多数固定して取り付けておくことが必要となって、ますます大重量物となって取り扱いや輸送が大変となるという問題がある。
【０００６】
そこで、本発明は、仮設梯子に必要時に取り付けることができるようにして取り扱い及び輸送を容易に行うことのできるような仮設梯子用ケージを提供しようとするものである。
【０００７】
【課題を解決するための手段】
本発明は、上記課題を解決するために、円弧状に折曲げ加工した鋼製リング状フレームを上下方向に所要間隔をおいて複数段に配置し且つ上下に隣接する該各鋼製リング状フレーム同士を、柔軟性を有して自在に折りたためるようなロープ、ワイヤーの如き複数本の索状物で複数個所を連結して、仮設梯子より離脱状態にて各鋼製リング状フレームが重なり合うように上下方向に圧縮されて折りたたまれたり、上下方向に展張できるようにしてあるケージ本体を形成し、更に、上記ケージ本体を構成する少なくとも最上段と最下段の鋼製リング状フレームの両端に、仮設梯子に固定された取付部に着脱自在に取り付けるようにする係止部を設けた構成とする。
【０００８】
係止部により仮設梯子に着脱自在に係止させることができるので、ケージは仮設梯子に必要時に容易に装着することができ、又、ケージは上下に隣接する鋼製リング状フレーム同士がロープ等の索状物で連結してあるので、上下の各鋼製リング状フレームを上下方向に圧縮して折りたたむことができて嵩張らないようにすることができて、取り扱いや輸送が楽であり、更に、仮設梯子に着脱自在に取り付けられるので、仮設梯子が長くても１つのケージを任意の高さ位置に取り付けて用いることができる。
【０００９】
又、円弧状に折曲げ加工した鋼製リング状フレームを上下方向に所要間隔をおいて複数段に配置し且つ上下に隣接する該各鋼製リング状フレーム同士を、中央部を屈伸自在とした複数本のロッドを用いて、該ロッドの上下端部を上下に隣接する鋼製リング状フレームに内外方向へ回動自在に接続するようにして複数個所を連結したり、又は、上記上下に隣接する該各鋼製リング状フレーム同士を、広幅のネットを用いて、上下に隣接する鋼製リング状フレーム間を全域にわたり上記ネットで覆うように連結して、仮設梯子より離脱状態にて各鋼製リング状フレームが重なり合うように上下方向に圧縮されて折りたたまれたり、上下方向に展張できるようにしてあるケージ本体を形成し、更に、上記ケージ本体を構成する少なくとも最上段と最下段の鋼製リング状フレームの両端に、仮設梯子に固定された取付部に着脱自在に取り付けるようにする係止部を設けた構成としても、上記と同様に上下の鋼製リング状フレームを上下に圧縮して折りたたむことができて取り扱いや輸送が容易に行うことができる。
【００１０】
更に、円弧状に折曲げ加工した鋼製リング状フレームを上下方向に所要間隔をおいて複数段に配置し且つ上下に隣接する該各鋼製リング状フレーム同士を、広幅の布を用いて、上下に隣接する鋼製リング状フレーム間を全域にわたり上記布で覆うように連結して、仮設梯子より離脱状態にて各鋼製リング状フレームが重なり合うように上下方向に圧縮されて折りたたまれたり、上下方向に展張できるようにしてあるケージ本体を形成し、更に、上記ケージ本体を構成する少なくとも最上段と最下段の鋼製リング状フレームの両端に、仮設梯子に固定された取付部に着脱自在に取り付けるようにする係止部を設けた構成とすることにより、ケージの外方より内側へ吹き込む風を遮ることができて、溶接作業をするときに有利となる。
【００１１】
【発明の実施の形態】
以下、本発明の実施の形態を図面を参照して説明する。
【００１２】
図１（イ）（ロ）（ハ）は本発明の実施の一形態を示すもので、棒状材を円弧状に折り曲げ加工して馬蹄型にしてなる鋼製リング状フレーム９を水平な状態で上下方向に複数段に配置し、上下に隣接する該各鋼製リング状フレーム９同士を、柔軟性を有して変形自在なロープ、ワイヤー、チェンの如き複数本の索状物１０でつないで各段の鋼製リング状フレーム９を一体的に連結して、図１（ロ）に示すように上下の各鋼製リング状フレーム９が重なり合うように圧縮されて折りたたまれたり、上下方向に展張できるようにしたケージ本体８を構成し、該ケージ本体８を構成する少なくとも最上段と最下段の各鋼製リング状フレーム９の各両端に、下向きに突出する円柱状の係止部１１を固定して本発明のケージとし、各係止部１１を介してケージ本体８を仮設梯子１ａに着脱自在に取り付けることにより使用できるようにする。
【００１３】
そのために、仮設梯子１ａは、図１（ハ）に示す如く、両支柱２の所要高さ位置に、上記ケージ本体８の係止部１１を嵌入して係止させるようにする筒状の受け金物１２を垂直に固定し、該受け金物１２にケージ本体８に固定した係止部１１を上方から挿入して係止させることにより、仮設梯子１ａに装着できるようにしてある。
【００１４】
なお、仮設梯子１ａが長い場合には、各支柱２の上方位置には所定間隔で多数の受け金物１２を予め固定した構成としておくようにする。図１（ハ）中、図５と同一のものには同一符号が付してある。
【００１５】
工事現場で仮設梯子１ａを使用するときは、先ず、作業をする高さに対応する仮設梯子１ａの高さ位置にある筒状の受け金物１２に、上下に展張したケージ本体８の最上段と最下段の鋼製リング状フレーム９の両端の係止部１１を上方から嵌めることによってケージ本体８を仮設梯子１ａに装着する。
【００１６】
次に、仮設梯子１ａを上端のフック４を利用して仮設し、作業員が仮設梯子１ａ上で本発明のケージ内に入り作業するようにする。
【００１７】
本発明のケージは、上記の如く係止部１０を仮設梯子１ａの受け金物１２に上方から差し込むことにより仮設梯子１ａに取り付けることができるようにしてあるので、仮設梯子１ａへの取り付けが容易にできると共に、取り付け後は、係止部１１が十分な強度を有しているので、作業中に鋼製リング状フレーム９につかまったり、該鋼製リング状フレーム９を背もたれとして使用した時に作用する下向き及び外周方向の荷重に十分耐えることができる。
【００１８】
又、本発明のケージは、仮設梯子１ａより容易に離脱することができるので、輸送時には仮設梯子１ａから取り外しておくことができ、更に、ケージ本体８は、上下の鋼製リング状フレーム９が索状物１０で連結してあって、該索状物１０を折りたたむことにより、図１（ロ）に示す如くケージを上下方向に圧縮してコンパクトにすることができるので、取り扱い及び輸送を容易にすることができる。
【００１９】
又、仮設梯子１ａが長くてより高所での作業に使用できるようなものであっても、該仮設梯子１ａの各支柱２のほぼ全長にわたって所定間隔で受け金物１２を固定しておくことにより、本発明のケージを１つだけ用意して順次別の受け金物１２に着脱自在に装着して行くことができて、従来の如き多数のケージを取り付けておく必要がなくなる。
【００２０】
次に、図２（イ）（ロ）は本発明の実施の他の形態を示すもので、図１に示した実施の形態における索状物１０に代えて、折りたたみ式のロッド１３を用いてケージ本体８が上下方向に圧縮できるようにしたものである。
【００２１】
詳述すると、金属製又は合成樹脂製の上側ロッド１３ａの下端と下側ロッド１３ｂの上端とをヒンジ１４で結合して、直線状態からは一方向へのみ屈伸自在となるようにしたロッド１３を複数本用意し、たとえば、図示の如く上側の鋼製リング状フレーム９の下面と下側の鋼製リング状フレーム９の上面に相対向させて突設させたブラケット１５ａ，１５ｂに、上記上側ロッド１３ａの上端と下側ロッド１３ｂの下端を内外方向へ回動自在に連結して、上下方向に折りたたみ、展張自在のケージ本体８としたものである。
【００２２】
本実施の形態では、上下の鋼製リング状フレーム９同士を連結するロッド１３が内側へ折れ曲がって折りたためるようにしてあるので、ケージ本体８は、ロッド１３を折り曲げることにより上下の鋼製リング状フレーム９を重ねるように圧縮させることができて、取り扱いや輸送時に嵩張ることがなくて有利である等、図１に示す実施の形態の場合と同様の効果が得られる。
【００２３】
又、図３（イ）（ロ）は本発明の実施の更に他の形態を示すもので、図１に示す実施の形態における複数本の索状物１０に代えて、広幅のネット１６を用いて鋼製リング状フレーム９を連結するようにしたものである。
【００２４】
本実施の形態のケージにおいても、図３（ロ）に示す如く、ネット１６を折りたたんでケージを上下方向に圧縮してコンパクトにすることができる。
【００２５】
更に、図４（イ）（ロ）は本発明の実施の更に他の形態を示すもので、図３に示す実施の形態におけるネット１６に代えて、布１７を用いて上下の各鋼製リング状フレーム９を連結すると共に風防機能をもたせるようにしたものである。
【００２６】
本実施の形態においては、図４（ロ）に示す如く、布１７を折りたたんでケージを上下方向に圧縮してコンパクトにすることができると共に、図４（イ）の如く展張して使用状態にすると、布１７が風防の役目をすることができて、ケージ内で溶接等の作業を行うときに障害となる風を遮るようにすることができる。
【００２７】
なお、本発明は上記した各実施の形態のみに限定されるものではなく、たとえば、図では３段として示した鋼製リング状フレーム９を仮設梯子１ａの高さに応じて２段もしくは４段以上の多段としてもよいこと、図１では係止部１１を円柱状とした場合を示したが、円柱状以外でもよいこと、鋼製リング状フレーム９端部に設けた係止部１１を筒状の係止部とし、且つ仮設梯子１ａの支柱２に設けた受け金物１２に代えて棒状の突起を設けるようにしてもよいこと、その他本発明の要旨を逸脱しない範囲内において種々変更を加え得ることは勿論である。
【００２８】
【発明の効果】
以上述べた如く、本発明の仮設梯子用ケージによれば、以下のような優れた効果を発揮する。
（１）円弧状に折曲げ加工した鋼製リング状フレームを上下方向に所要間隔をおいて複数段に配置し且つ上下に隣接する該各鋼製リング状フレーム同士を、柔軟性を有して自在に折りたためるようなロープ、ワイヤーの如き複数本の索状物で複数個所を連結して、仮設梯子より離脱状態にて各鋼製リング状フレームが重なり合うように上下方向に圧縮されて折りたたまれたり、上下方向に展張できるようにしてあるケージ本体を形成し、更に、上記ケージ本体を構成する少なくとも最上段と最下段の鋼製リング状フレームの両端に、仮設梯子に固定された取付部に着脱自在に取り付けるようにする係止部を設けた構成としてあるので、仮設梯子に対して容易に着脱することができると共に索状物を折りたたむことにより上下方向に圧縮してコンパクトにすることができて、取り扱い及び輸送を容易に行うことができ、汎用の仮設物として使用することができることで、ケージ付仮設梯子を設置する際のコストを引き下げることができる。
（２）円弧状に折曲げ加工した鋼製リング状フレームを上下方向に所要間隔をおいて複数段に配置し且つ上下に隣接する該各鋼製リング状フレーム同士を、中央部を屈伸自在とした複数本のロッドを用いて、該ロッドの上下端部を上下に隣接する鋼製リング状フレームに内外方向へ回動自在に接続するようにして複数個所を連結して、仮設梯子より離脱状態にて各鋼製リング状フレームが重なり合うように上下方向に圧縮されて折りたたまれたり、上下方向に展張できるようにしてあるケージ本体を形成し、更に、上記ケージ本体を構成する少なくとも最上段と最下段の鋼製リング状フレームの両端に、仮設梯子に固定された取付部に着脱自在に取り付けるようにする係止部を設けた構成としても、上記と同様に上下方向に圧縮してコンパクト化できる。
（３）円弧状に折曲げ加工した鋼製リング状フレームを上下方向に所要間隔をおいて複数段に配置し且つ上下に隣接する該各鋼製リング状フレーム同士を、広幅のネットを用いて、上下に隣接する鋼製リング状フレーム間を全域にわたり上記ネットで覆うように連結して、仮設梯子より離脱状態にて各鋼製リング状フレームが重なり合うように上下方向に圧縮されて折りたたまれたり、上下方向に展張できるようにしてあるケージ本体を形成し、更に、上記ケージ本体を構成する少なくとも最上段と最下段の鋼製リング状フレームの両端に、仮設梯子に固定された取付部に着脱自在に取り付けるようにする係止部を設けた構成としても同様の効果が得られる。
（４）円弧状に折曲げ加工した鋼製リング状フレームを上下方向に所要間隔をおいて複数段に配置し且つ上下に隣接する該各鋼製リング状フレーム同士を、広幅の布を用いて、上下に隣接する鋼製リング状フレーム間を全域にわたり上記布で覆うように連結して、仮設梯子より離脱状態にて各鋼製リング状フレームが重なり合うように上下方向に圧縮されて折りたたまれたり、上下方向に展張できるようにしてあるケージ本体を形成し、更に、上記ケージ本体を構成する少なくとも最上段と最下段の鋼製リング状フレームの両端に、仮設梯子に固定された取付部に着脱自在に取り付けるようにする係止部を設けた構成とすると、ケージ内で溶接等の作業を行うときに障害となる風を遮るようにすることができる。
【図面の簡単な説明】
【図１】本発明の仮設梯子用ケージの実施の一形態を示すもので、（イ）は全体斜視図、（ロ）は仮設梯子より取り外して上下方向に圧縮したときの状態を示す切断側面図、（ハ）は仮設梯子に取り付けた状態の斜視図である。
【図２】本発明の仮設梯子用ケージの実施の他の形態の要部を拡大して示すもので、（イ）はロッドを伸ばしたときの切断側面図、（ロ）はロッドを折りたたんだときの切断側面図である。
【図３】本発明の仮設梯子用ケージの実施の更に他の形態を示すもので、（イ）は展張したときの切断側面図、（ロ）は上下方向に圧縮した状態の切断側面図である。
【図４】本発明の仮設梯子用ケージの実施の更に他の形態を示すもので、（イ）は展張したときの切断側面図、（ロ）は上下方向に圧縮した状態の切断側面図である。
【図５】従来のケージ付仮設梯子の一例を示す斜視図である。
【符号の説明】
１  仮設梯子
１ａ  仮設梯子
８  ケージ本体
９  鋼製リング状フレーム
１０  索状物
１１  係止部
１２  受け金物
１３  ロッド
１３ａ  上側ロッド
１３ｂ  下側ロッド
１６  ネット
１７  布
【図１】
0003911798.tif 000002
【図２】
0003911798.tif 000003
【図３】
0003911798.tif 000004
【図４】
0003911798.tif 000005
【図５】
0003911798.tif 000006